【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
外相と、該外相の中に分散された複数の液滴とを含む乳剤であって、該複数の液滴の少なくとも一部が２つまたはそれよりも多くの成分を含み、該２つまたはそれよりも多くの成分が第１の温度で実質的に混和性であり、該２つまたはそれよりも多くの成分が第２の温度で実質的に非混和性である乳剤。
【請求項２】
請求項１に記載の乳剤であって、前記２つまたはそれよりも多くの成分が前記第１温度および前記第２温度で前記外相と混和しない乳剤。
【請求項３】
請求項１に記載の乳剤であって、前記液滴の一部が、第１成分を含む第１相と、第２成分を含む第２相とを含む乳剤。
【請求項４】
請求項３に記載の乳剤であって、前記第２温度で、前記第２相が前記第１相の中に封入される乳剤。
【請求項５】
請求項３に記載の乳剤であって、前記第２温度で、前記第２相が前記第１相の中に部分的に封入される乳剤。
【請求項６】
請求項１に記載の乳剤であって、前記第１温度が前記第２温度よりも高い乳剤。
【請求項７】
請求項６に記載の乳剤であって、前記第１温度が、前記２つまたはそれよりも多くの成分の上限共溶温度よりも高い乳剤。
【請求項８】
請求項６に記載の乳剤であって、前記第２温度が、前記２つまたはそれよりも多くの成分の上限共溶温度よりも低い乳剤。
【請求項９】
請求項１に記載の乳剤であって、前記第１温度が前記第２温度よりも低い乳剤。
【請求項１０】
請求項９に記載の乳剤であって、前記第１温度が、前記２つまたはそれよりも多くの成分の下限共溶温度よりも低い乳剤。
【請求項１１】
請求項９に記載の乳剤であって、前記第２温度が、前記２つまたはそれよりも多くの成分の下限共溶温度よりも高い乳剤。
【請求項１２】
請求項１に記載の乳剤であって、前記２つまたはそれよりも多くの成分がヤヌス液滴を形成する乳剤。
【請求項１３】
請求項１に記載の乳剤であって、前記２つまたはそれよりも多くの成分の少なくとも１つが炭化水素、フッ化炭素、シリコーン、サーモトロピック液晶、イオン性液体、それらの組み合わせ、またはそれらの誘導体を含む乳剤。
【請求項１４】
乳剤を形成する方法であって、
流体の温度を第１温度に調節する工程であって、該流体が、該第１温度において、第１相と、該第１相に実質的に混和しない第２相とを含み、該第２相が実質的に互いに混和性の２つまたはそれよりも多くの成分を含む工程、
該流体を乳化する工程、および
該２つまたはそれよりも多くの成分が実質的に混和しなくなるように、該流体の温度を、第２温度に調節する工程
を含む方法。
【請求項１５】
請求項１４に記載の方法であって、前記流体の温度を、前記２つまたはそれよりも多くの成分が、第１成分と該第１成分の中に封入される第２成分とを含むように、前記第２温度に調節する工程を含む方法。
【請求項１６】
請求項１５に記載の方法であって、前記第２温度で、前記第２成分が前記第１成分の中に部分的に封入される方法。
【請求項１７】
請求項１４に記載の方法であって、前記第１温度が前記第２温度よりも高い方法。
【請求項１８】
請求項１７に記載の方法であって、前記第１温度が前記２つまたはそれよりも多くの成分の上限共溶温度よりも高い方法。
【請求項１９】
請求項１７に記載の方法であって、前記第２温度が前記２つまたはそれよりも多くの成分の上限共溶温度よりも低い方法。
【請求項２０】
請求項１４に記載の方法であって、前記第１温度が前記第２温度よりも低い方法。
【請求項２１】
請求項２０に記載の方法であって、前記第１温度が前記２つまたはそれよりも多くの成分の下限共溶温度よりも低い方法。
【請求項２２】
請求項２０に記載の方法であって、前記第２温度が前記２つまたはそれよりも多くの成分の下限共溶温度よりも高い方法。
【請求項２３】
請求項１４に記載の方法であって、前記流体の温度を前記２つまたはそれよりも多くの成分がヤヌス粒子を形成するような前記第２温度に調節することを含む方法。
【請求項２４】
請求項１４に記載の方法であって、前記２つまたはそれよりも多くの成分の少なくとも１つが炭化水素、フッ化炭素、シリコーン、サーモトロピック液晶、水、イオン性液体、それらの組み合わせ、またはそれらの誘導体を含む方法。
【手続補正２】
【補正対象書類名】明細書
【補正対象項目名】００６８
【補正方法】変更
【補正の内容】
【００６８】
特許請求の範囲ならびに上記の本明細書において、「含む（ｃｏｍｐｒｉｓｉｎｇ）」、「含む（ｉｎｃｌｕｄｉｎｇ）」、「有している（ｃａｒｒｙｉｎｇ）」、「有する（ｈａｖｉｎｇ）」、「含む（ｃｏｎｔａｉｎｉｎｇ）」、「伴う（ｉｎｖｏｌｖｉｎｇ）」、「保持する（ｈｏｌｄｉｎｇ）」、などのようなすべての移行句は、オープンエンド、すなわち、含むがそれに限定されないと理解されるべきである。米国特許庁審査便覧セクション２１１１，０３に記載されている、移行句「〜からなる」および「本質的に〜からなる」だけが、それぞれ排他的または半排他的な移行句であるべきである。
一実施形態において、例えば、以下の項目が提供される。
（項目１）
外相と、該外相の中に分散された複数の液滴とを含む乳剤であって、該複数の液滴の少なくとも一部が２つまたは それよりも多くの成分を含み、該２つまたはそれよりも多くの成分が第１の温度で実質的に混和性であり、該２つまたはそれよりも多くの成分が第２の温度で実質的に非混和性である乳剤。
（項目２）
項目１に記載の乳剤であって、前記２つまたはそれよりも多くの成分が前記第１温度および前記第２温度で前記外相と混和しない乳剤。
（項目３）
項目１に記載の乳剤であって、前記液滴の一部が、第１成分を含む第１相と、第２成分を含む第２相とを含む乳剤。
（項目４）
項目３に記載の乳剤であって、前記第２温度で、前記第２相が前記第１相の中に封入される乳剤。
（項目５）
項目３に記載の乳剤であって、前記第２温度で、前記第２相が前記第１相の中に部分的に封入される乳剤。
（項目６）
項目１に記載の乳剤であって、前記第１温度が前記第２温度よりも高い乳剤。
（項目７）
項目６に記載の乳剤であって、前記第１温度が、前記２つまたはそれよりも多くの成分の上限共溶温度よりも高い乳剤。
（項目８）
項目６に記載の乳剤であって、前記第２温度が、前記２つまたはそれよりも多くの成分の上限共溶温度よりも低い乳剤。
（項目９）
項目１に記載の乳剤であって、前記第１温度が前記第２温度よりも低い乳剤。
（項目１０）
項目９に記載の乳剤であって、前記第１温度が、前記２つまたはそれよりも多くの成分の下限共溶温度よりも低い乳剤。
（項目１１）
項目９に記載の乳剤であって、前記第２温度が、前記２つまたはそれよりも多くの成分の下限共溶温度よりも高い乳剤。
（項目１２）
項目１に記載の乳剤であって、前記２つまたはそれよりも多くの成分がヤヌス液滴を形成する乳剤。
（項目１３）
項目１に記載の乳剤であって、前記２つまたはそれよりも多くの成分の少なくとも１つが炭化水素、フッ化炭素、シリコーン、サーモトロピック液晶、イオン性液体、それらの組み合わせ、またはそれらの誘導体を含む乳剤。
（項目１４）
項目１に記載の乳剤であって、前記２つまたはそれよりも多くの成分の少なくとも１つがポリマーを含む乳剤。
（項目１５）
項目１に記載の乳剤であって、前記２つまたはそれよりも多くの成分の少なくとも１つがサーモトロピック液晶を含む乳剤。
（項目１６）
項目１に記載の乳剤であって、前記外相が水相である乳剤。
（項目１７）
項目１に記載の乳剤であって、前記外相が非水相である乳剤。
（項目１８）
項目１７に記載の乳剤であって、前記非水相が炭化水素、フッ化炭素、シリコーン、それらの組み合わせ、またはそれらの誘導体を含む乳剤。
（項目１９）
項目１に記載の乳剤であって、両親媒性化合物を含む乳剤。
（項目２０）
項目１９に記載の乳剤であって、前記両親媒性化合物が、イオン性界面活性剤、非イオン性界面活性剤、両性界面活性剤、ポリマー、タンパク質、ＤＮＡ、ＲＮＡ、酸、炭水化物、糖類、酵素、クロモフォア、脂質、酸化グラフェン、それらの組み合わせ、およびそれらの誘導体からなる群から選択される乳剤。
（項目２１）
項目１９に記載の乳剤であって、前記両親媒性化合物が過フッ素化セグメントまたはエチレングリコールセグメントを含む乳剤。
（項目２２）
項目１９に記載の乳剤であって、前記両親媒性化合物が金属錯体を含む乳剤。
（項目２３）
項目１９に記載の乳剤であって、前記両親媒性化合物は、前記外相中で、前記２つまたはそれよりも多くの成分中での混和性よりも良い混和性を有する乳剤。
（項目２４）
項目１９に記載の乳剤であって、前記両親媒性化合物は、前記２つまたはそれよりも多くの成分の少なくとも１つにおいて、前記外相中での前記両親媒性化合物の混和性よりも良い混和性を有する乳剤。
（項目２５）
項目１９に記載の乳剤であって、前記外相と前記複数の液滴との間の境界が前記両親媒性化合物を含む乳剤。
（項目２６）
項目１９に記載の乳剤であって、前記２つまたはそれよりも多くの成分の第１成分と、前記２つまたはそれよりも多くの成分の第２成分との間の境界が前記両親媒性化合物を含む乳剤。
（項目２７）
乳剤を形成する方法であって、
流体の温度を第１温度に調節する工程であって、該流体が、該第１温度において、第１相と、該第１相に実質的に混和しない第２相とを含み、該第２相が実質的に互いに混和性の２つまたはそれよりも多くの成分を含む工程、
該流体を乳化する工程、および
該２つまたはそれよりも多くの成分が実質的に混和しなくなるように、該流体の温度を、第２温度に調節する工程
を含む方法。
（項目２８）
項目２７に記載の方法であって、前記流体の温度を、前記２つまたはそれよりも多くの成分が、第１成分と該第１成分の中に封入される第２成分とを含むように、前記第２温度に調節する工程を含む方法。
（項目２９）
項目２８に記載の方法であって、前記第２温度で、前記第２成分が前記第１成分の中に部分的に封入される方法。
（項目３０）
項目２７に記載の方法であって、前記第１温度が前記第２温度よりも高い方法。
（項目３１）
項目３０に記載の方法であって、前記第１温度が前記２つまたはそれよりも多くの成分の上限共溶温度よりも高い方法。
（項目３２）
項目３０に記載の方法であって、前記第２温度が前記２つまたはそれよりも多くの成分の上限共溶温度よりも低い方法。
（項目３３）
項目２７に記載の方法であって、前記第１温度が前記第２温度よりも低い方法。
（項目３４）
項目３３に記載の方法であって、前記第１温度が前記２つまたはそれよりも多くの成分の下限共溶温度よりも低い方法。
（項目３５）
項目３３に記載の方法であって、前記第２温度が前記２つまたはそれよりも多くの成分の下限共溶温度よりも高い方法。
（項目３６）
項目２７に記載の方法であって、前記流体の温度を前記２つまたはそれよりも多くの成分がヤヌス粒子を形成するような前記第２温度に調節することを含む方法。
（項目３７）
項目２７に記載の方法であって、前記２つまたはそれよりも多くの成分の少なくとも１つが炭化水素、フッ化炭素、シリコーン、サーモトロピック液晶、水、イオン性液体、それらの組み合わせ、またはそれらの誘導体を含む方法。
（項目３８）
項目２７に記載の方法であって、前記２つまたはそれよりも多くの成分の少なくとも１つがポリマーを含む方法。
（項目３９）
項目２７に記載の方法であって、前記２つまたはそれよりも多くの成分の少なくとも１つがサーモトロピック液晶を含む方法。
（項目４０）
項目２７に記載の方法であって、前記第１相が水相である方法。
（項目４１）
項目２７に記載の方法であって、前記第１相が非水相である方法。
（項目４２）
項目４１に記載の乳剤であって、前記非水相が、炭化水素、フッ化炭素、シリコーン、それらの組み合わせ、またはそれらの誘導体を含む乳剤。
（項目４３）
項目２７に記載の方法であって、前記流体を乳化する工程が、超音波処理、高せん断力混合（ｓｈｅｅｒ）、振とう、前記流体を膜を通過させること、または小径のチャネルを通して前記２つまたはそれよりも多くの成分を前記外相へと注入することを含む方法。
（項目４４）
項目２７に記載の方法であって、前記流体が両親媒性化合物を含む方法。
（項目４５）
項目２７に記載の方法であって、両親媒性化合物が前記第１相と前記第２相との間に配置されるように、前記流体に該両親媒性化合物を添加する工程をさらに含む方法。
（項目４６）
項目２７に記載の方法であって、両親媒性化合物が前記２つまたはそれよりも多くの成分の少なくとも２つの間に配置されるように、前記流体に該両親媒性化合物を添加する工程をさらに含む方法。